(57)【要約】【課題】フック等の吊下具に額縁や写真入れやカレンダーなどの被吊下物を美観を損ねることなく吊下げられるようにすること。【解決手段】本発明では、吊下具（３）と被吊下物（４）との間に装着されて使用する吊下用連結具（１）において、吊下具（３）との連結部（８）が設けられた装飾パネル（５）の後側に被吊下物（４）との連結部（９）を形成することにした。また、前記装飾パネル（５）の後側に吊下具（３）との連結部（８）を形成することにした。さらに、前記装飾パネル（５）の後側に後方へ向けて張出したスペーサー（７）を形成するとともに、スペーサー（７）の張出し領域（１０）内に前記吊下具（３）との連結部（８）及び前記被吊下物（４）との連結部（９）を形成することにした。【選択図】図１
2013215500.tif 000002
【特許請求の範囲】
【請求項１】
吊下具と被吊下物との間に装着され、吊下具との連結部が設けられた装飾パネルの後側に被吊下物との連結部を形成したことを特徴とする吊下用連結具。
【請求項２】
前記装飾パネルの後側に吊下具との連結部を形成したことを特徴とする請求項１に記載の吊下用連結具。
【請求項３】
前記装飾パネルの後側に後方へ向けて張出したスペーサーを形成するとともに、スペーサーの張出し領域内に前記吊下具との連結部及び前記被吊下物との連結部を形成したことを特徴とする請求項２に記載の吊下用連結具。
【発明の詳細な説明】
【技術分野】
【０００１】
本発明は、吊下具と被吊下物との間に装着して使用する吊下用連結具に関するものである。
【背景技術】
【０００２】
従来より、壁等に取付けられた吊下具を利用して額縁や写真入れやカレンダーなどの被吊下物を壁等に吊下げている（たとえば、特許文献１参照。）。その際には、壁等に吊下具を取付け、吊下具に被吊下物を直接吊下げている。
【先行技術文献】
【特許文献】
【０００３】
【特許文献１】特開平１１−２５５号公報
【発明の概要】
【発明が解決しようとする課題】
【０００４】
ところが、吊下具に被吊下物を直接吊下げると、地震や風などの影響で被吊下物が振動すると、その振動が吊下具に直接伝達されてしまい、吊下具が壁等から剥離し或いは破損して被吊下物とともに落下してしまうおそれがあった。また、吊下具に被吊下物を直接吊下げると、吊下具と被吊下物との連結部分が目視できてしまい、見た目を損なうおそれもあった。
【課題を解決するための手段】
【０００５】
そこで、請求項１に係る本発明では、吊下具と被吊下物との間に装着され、吊下具との連結部が設けられた装飾パネルの後側に被吊下物との連結部を形成したことを特徴とする吊下用連結具を提供する。
【０００６】
また、請求項２に係る本発明では、前記請求項１に係る本発明において、前記装飾パネルの後側に吊下具との連結部を形成することにした。
【０００７】
また、請求項３に係る本発明では、前記請求項２に係る本発明において、前記装飾パネルの後側に後方へ向けて張出したスペーサーを形成するとともに、スペーサーの張出し領域内に前記吊下具との連結部及び前記被吊下物との連結部を形成することにした。
【発明の効果】
【０００８】
そして、本発明では、以下に記載する効果を奏する。
【０００９】
すなわち、本発明では、吊下用連結具において、吊下具と被吊下物との間に装着され、吊下具との連結部が設けられた装飾パネルの後側に被吊下物との連結部を形成することにしているために、地震や風などの影響で被吊下物に振動が生じても、その振動が吊下用連結具で緩和されて吊下具に伝達されることになり、吊下具が壁等から剥離するのを防止できるので、被吊下物の落下を防止することができる。また、被吊下物との連結部が装飾パネルで遮られて目視できなくなるために、外観上の美観を良好なものとすることができる。
【００１０】
特に、装飾パネルの後側に吊下具との連結部を形成した場合には、被吊下物との連結部だけでなく、吊下具と吊下用連結具との連結部も装飾パネルで遮られて目視できなくなるために、外観上の美観をより一層良好なものとすることができる。
【００１１】
また、装飾パネルの後側に後方へ向けて張出したスペーサーを形成するとともに、スペーサーの張出し領域内に吊下具との連結部及び被吊下物との連結部を形成した場合には、吊下具との連結部や被吊下物との連結部が壁等に接触して傷付けてしまうのを防止できるとともに、被吊下物を壁等に平行させて鉛直下向きに吊下げることができ、これによっても、外観上の美観をより一層良好なものとすることができる。
【図面の簡単な説明】
【００１２】
【図１】本発明に係る吊下用連結具を示す斜視図（ａ）、背面図（ｂ）、側面断面図（ｃ）。
【発明を実施するための形態】
【００１３】
以下に、本発明に係る吊下用連結具の具体的な構成について図面を参照しながら説明する。
【００１４】
図１に示すように、吊下用連結具１は、壁２に貼着された既存の吊下具３と被吊下物４との間に装着されて使用されるものである。
【００１５】
この吊下用連結具１は、装飾パネル５の後面に連結体６を取付けている。なお、吊下用連結具１は、装飾パネル５と連結体６とを別体で構成した場合に限られず、連結体６の機能を装飾パネル５に形成することで装飾パネル５だけで構成することもできる。
【００１６】
装飾パネル５は、横長矩形板形状で前面に写真や絵や模様などを印刷できるようになっている。なお、装飾パネル５は、前面に直接印刷できるものに限られず、写真等を貼着できるようにしてもよい。
【００１７】
連結体６は、装飾パネル５よりも狭幅の縦長矩形板を折曲して形成している。なお、連結体６は、折曲によって形成する場合に限られず、成型によって形成してもよい。
【００１８】
この連結体６は、後面上端部を後方へ向けて張出してスペーサー７を形成している。このスペーサー７は、装飾パネル５の後面と壁２との間の間隔を確保するものである。なお、スペーサー７は、必ずしも設けなくてはいけないものではなく、必要に応じて設ければよい。
【００１９】
また、連結体６は、後面上側に吊下具３との連結部８を貫通孔状に形成するとともに、後面下側に被吊下物４との連結部９をフック状に形成している。なお、吊下具３との連結部８や被吊下物４との連結部９の形状は、連結する吊下具３や被吊下物４の形状に応じて変更する。
【００２０】
この吊下用連結具１では、吊下用連結具１と吊下具３との連結部８や吊下用連結具１と被吊下物４との連結部９は、側面視においてスペーサー７の後方への張出し領域10よりも内側、すなわち、装飾パネル５の後面と壁２との間に形成している。
【００２１】
なお、吊下用連結具１は、連結体６を設けずに、装飾パネル５にスペーサー７や吊下具３との連結部８や被吊下物４との連結部９を形成してもよい。
【００２２】
吊下用連結具１は、以上に説明したように構成しており、吊下具３に連結部８を連結するとともに、連結部９に被吊下物４を連結することで、壁２に被吊下物４を吊下げることができる。
【００２３】
そして、上記吊下用連結具１では、吊下具３との連結部８が設けられた装飾パネル５の後側に被吊下物４との連結部９を形成している。
【００２４】
そのため、上記吊下用連結具１では、地震や風などの影響で被吊下物４に振動が生じても、その振動が吊下具３に直接伝達するのではなく吊下用連結具１で緩和されて吊下具３に伝達されることになる。これにより、上記吊下用連結具１では、吊下具３が破損したり壁２から剥離するのを防止できるので、被吊下物４の落下を防止することができる。また、上記吊下用連結具１では、被吊下物４との連結部９が装飾パネル５で遮られて目視できなくなるために、外観上の美観を良好なものとすることができる。
【００２５】
また、上記吊下用連結具１では、装飾パネル５の後側に吊下具３との連結部８を形成しているために、吊下用連結具１と被吊下物４との連結部９だけでなく、吊下具３と吊下用連結具１との連結部８も装飾パネル５で遮られて目視できなくなるために、外観上の美観をより一層良好なものとすることができる。
【００２６】
さらに、上記吊下用連結具１では、装飾パネル５の後側に後方へ向けて張出したスペーサー７を形成するとともに、スペーサー７の張出し領域10の内側に吊下具３との連結部８及び被吊下物４との連結部９を形成しているために、吊下具３との連結部８や被吊下物４との連結部９が壁２に接触して傷付けてしまうのを防止できるとともに、被吊下物４を壁２に平行させて鉛直下向きに吊下げることができ、これによっても、外観上の美観をより一層良好なものとすることができる。
【符号の説明】
【００２７】
１  吊下用連結具                      ２  壁
３  吊下具                            ４  被吊下物
５  装飾パネル                        ６  連結体
７  スペーサー                        ８  連結部
９  連結部                            10  張出し領域
【図１】
2013215500.tif 000003